(57)【要約】【課題】建物の壁面に取り付けられる屋根（ケラバ部、付け庇等）における屋根の固定荷重、積載荷重および積雪荷重等に対する強度性能を向上できる屋根固定構造を提供する。【解決手段】屋根固定構造は、外壁１２の壁面から張り出す屋根下地構成体３の基端側が、壁面の側に位置する柱や梁１２ｂ等（躯体部分）に留め付けられるとともに、上記躯体部分に留め付けられた上側固定部材４１と下側固定部材４２とによって上下から挟み込まれた構造を有している。上記屋根下地構成体３は、垂木部３１とこれに直交して設けられる基端側垂木連結部３２と先端側垂木連結部３３と野地板３４とからなる。【選択図】図４
2015081441.tif 000002
【特許請求の範囲】
【請求項１】
建物の外壁面から張り出す屋根下地構成体の基端側が、上記外壁面の側に位置する躯体部分に留め付けられるとともに、上記躯体部分に留め付けられた上側固定部材と下側固定部材とによって上下から挟み込まれた構造を有することを特徴とする屋根固定構造。
【請求項２】
請求項１に記載の屋根固定構造において、上記上側固定部材および上記下側固定部材が上記躯体部分の外側に位置する断熱材と同一面内に設けられていることを特徴とする屋根固定構造。
【請求項３】
請求項１または請求項２に記載の屋根固定構造において、上記下側固定部材の外側面に留め付けられた受け部材によって上記基端側が下から受け止められることを特徴とする屋根固定構造。
【請求項４】
請求項１〜請求項３のいずれか１項に記載の屋根固定構造において、上記屋根下地構成体は、垂木部とこれに直交して設けられる基端側垂木連結部とを有し、上記基端側垂木連結部が上記上側固定部材と上記下側固定部材とによって上下から挟み込まれることを特徴とする屋根固定構造。
【請求項５】
請求項４に記載の屋根固定構造において、上記屋根下地構成体は、さらに先端側垂木連結部を有し、上記垂木部と上記基端側垂木連結部と上記先端側垂木連結部とがパネル枠化されていることを特徴とする屋根固定構造。
【請求項６】
請求項１〜請求項５のいずれか１項に記載の屋根固定構造において、上記屋根下地構成体の上記基端側にも野地板が存在しており、この野地板を含めて上記基端側が上側固定部材と下側固定部材とによって上下から挟み込まれることを特徴とする屋根固定構造。
【発明の詳細な説明】
【技術分野】
【０００１】
本発明は、建物の壁面に取り付けられる屋根（ケラバ部、付け庇等）の固定構造に関する。
【背景技術】
【０００２】
特許文献１には、梁などの骨格材の側面に腕木を片持ちで取り付けるために用いる支持金物が開示されている。この支持金物は、骨格材の側面に接触するフランジと、腕木の根元が差し込まれる差込部と、を備え、前記差込部は、腕木を載置する下板と、該下板に対向する上板と、該下板と該上板を結ぶ側板と、からなり、前記下板には、幅方向の全域を切り欠いて腕木の下面を露出させる窓部が形成されている。
【０００３】
また、従来の屋根構造として、屋根下地となるパネル部材が、その多くの領域を屋根上に位置させ、一部領域をケラバとして外壁面から突出させる構造がある。
【先行技術文献】
【特許文献】
【０００４】
【特許文献１】特開２０１１−１１７２１９号公報
【発明の概要】
【発明が解決しようとする課題】
【０００５】
しかしながら、上記従来の屋根構造では、上記屋根下地となるパネル部材の多くの領域を屋根上に位置させる必要から、屋根上にドーマーを設ける場合に、当該ドーマーを外壁の側に近づけて設けることができなかった。また、上記ドーマーを外壁の側に近づけて設ける場合に、上記特許文献１に記載の支持金物によってケラバを造ることが考えられるが、このように構成されたケラバでは荷重に対して十分な強度が確保できないと思われる。同様の問題は付け庇などにおいても生じる。
【０００６】
本発明は、上記の事情に鑑み、建物の壁面に取り付けられる屋根（ケラバ部、付け庇等）における屋根の固定荷重、積載荷重および積雪荷重等に対する強度性能を向上できる屋根固定構造を提供することを課題とする。
【課題を解決するための手段】
【０００７】
本発明の屋根固定構造は、上記の課題を解決するために、建物の外壁面から張り出す屋根下地構成体の基端側が、上記外壁面の側に位置する躯体部分に留め付けられるとともに、上記躯体部分に留め付けられた上側固定部材と下側固定部材とによって上下から挟み込まれた構造を有することを特徴とする。
【０００８】
上記の構成であれば、上記屋根下地構成体に荷重が加わり、上記基端側が上記躯体部分の留め付け箇所から外れる方向に力が生じたとしても、上記基端側は上記躯体部分に留め付けられた上記上側固定部材と上記下側固定部材とによって上下から挟み込まれているので、上記基端側の上記外れる方向の変位が抑制される。よって、建物の壁面に取り付けられる屋根の荷重に対する強度性能が向上される。
【０００９】
上記上側固定部材および上記下側固定部材が上記躯体部分の外側に位置する断熱材と同一面内に設けられていてもよい。これによれば、上記断熱材を配置できる箇所に上記上側固定部材および上記下側固定部材が設けられることになり、外壁構造の大幅な設計変更なしで上記上側固定部材および上記下側固定部材を配置することができる。
【００１０】
上記下側固定部材の外側面に留め付けられた受け部材によって上記基端側が下から受け止められていてもよい。これによれば、上記屋根下地構成体に作用する荷重に対する強度性能をさらに向上することができる。
【００１１】
上記屋根下地構成体は、上記屋根下地構成体は、垂木部とこれに直交して設けられる基端側垂木連結部とを有し、上記基端側垂木連結部が上記上側固定部材と上記下側固定部材とによって上下から挟み込まれてもよい。上記屋根下地構成体は、さらに先端側垂木連結部を有し、上記垂木部と上記基端側垂木連結部と上記先端側垂木連結部とがパネル枠化されていいてもよい。
【００１２】
上記屋根下地構成体の上記基端側にも野地板が存在しており、この野地板を含めて上記基端側が上側固定部材と下側固定部材とによって上下から挟み込まれていてもよい。
【発明の効果】
【００１３】
本発明であれば、建物の壁面に取り付けられる屋根（ケラバ部、付け庇等）における屋根の固定荷重、積載荷重および積雪荷重等に対する強度性能を向上できるという効果を奏する。
【図面の簡単な説明】
【００１４】
【図１】本発明の実施形態にかかる屋根固定構造を備えた家屋の斜視図である。
【図２】図１の家屋のドーマーの横のケラバ部を二点鎖線で囲った説明図である。
【図３】図１の家屋のドーマーおよびケラバ部を側方から見た説明図である。
【図４】図３のケラバ部を正面側から見た説明図である。
【図５】図３のケラバ部の組み立てを説明する説明図である。
【図６】本発明の実施形態にかかる屋根固定構造を備えた家屋の斜視図である。
【図７】図６の家屋の付け庇を側面側から見た説明図である。
【発明を実施するための形態】
【００１５】
以下、この発明の実施の形態を添付図面に基づいて説明する。
図１および図２に示すように、建物１は、ドーマー２を、屋根本体１１の中央側ではなく、その外壁が建物１の外壁１２の壁面と略面一となる位置に有する。この実施形態の屋根固定構造は、上記ドーマー２の横のケラバ部１１ａにおいて用いられている。
【００１６】
図３および図４に示すように、この実施形態にかかる屋根固定構造は、上記外壁１２の壁面から張り出す屋根下地構成体３の基端側が、上記壁面の側に位置する柱および間柱１２ａや梁１２ｂ等（躯体部分）に留め付けられるとともに、上記躯体部分に留め付けられた長尺の上側固定部材４１と下側固定部材４２とによって上下から挟み込まれた構造を有している。
【００１７】
上記屋根下地構成体３は、この実施形態では、垂木部３１とこれに直交して設けられる長尺の基端側垂木連結部３２および先端側垂木連結部３３と野地板３４とからなる。上記垂木部３１と上記基端側垂木連結部３２と上記先端側垂木連結部３３は、例えば厚みが３８ｍｍ程度で高さが８９ｍｍ程度の木材からなる。また、上記垂木部３１は例えば４５５ｍｍピッチで設けられ、これら垂木部３１と上記基端側垂木連結部３２と上記先端側垂木連結部３３は、現場において梯子状のパネル枠となるように組み立てられる。この組み立てには釘や固定金具などが用いられる。このパネル枠の上記基端側垂木連結部３２から上記先端側垂木連結部にかけての長さは例えば３９５ｍｍ程度とされる。上記野地板３４は例えば厚みが１２ｍｍ程度の合板からなり、上記基端側垂木連結部３２上にも存在するように設けられている。
【００１８】
上記パネル枠となる上記基端側垂木連結部３２が上記柱（間柱を含む）１２ａや梁（登り梁を含む）１２ｂに釘等によって留め付けられる。そして、上記基端側垂木連結部３２が上記野地板３４を介在させた状態で上記上側固定部材４１と上記下側固定部材４２とによって上下から挟み込まれている。上記上側固定部材４１および上記下側固定部材４２も上記柱（間柱を含む）１２ａや梁（登り梁を含む）１２ｂに釘等によって留め付けられる。上記上側固定部材４１および上記下側固定部材４２は、例えば、厚みが３０ｍｍ程度で高さが１０５ｍｍ程度の木材からなる。また、上記上側固定部材４１および上記下側固定部材４２は、上記柱１２ａや梁１２ｂの外側に位置する断熱材５と同一面内に設けられている。上記断熱材５の厚みは例えば３０ｍｍ程度とされる。
【００１９】
上記屋根下地構成体３の基端側は、上記下側固定部材４２の外側面に留め付けられた２本の長尺の受け部材４３によって下から受け止められている。上記受け部材４３は、例えば、厚みが３０ｍｍ程度で高さが６０ｍｍ程度の木材からなる。上記受け部材４３は、上記下側固定部材４２に釘等によって留め付けられる。
【００２０】
さらに、外側の受け部材４３と上記垂木部３１とによって形成される角部には、コーナー金具６が取り付けられている。このコーナー金具６は、図４の点線枠内で示されているように、第１面部と第２面部とが直角に折り曲げられた形状を有している。上記第１面部および第２面部にはそれぞれ２個の螺子挿通穴が形成されている。各螺子挿通穴を通して螺子が上記受け部材４３および上記垂木部３１に螺合され、上記コーナー金具６を介して上記垂木部３１が上記受け部材４３に固定される。
【００２１】
上記受け部材４３の下面側には軒天パネル７１が設けられ、また、外装材７２が上記断熱材５に対して空間（通気層）７３を設けて配置される。また、上記先端側垂木連結部３３の外側には破風下地７４および破風板７５が設けられる。
【００２２】
図５（Ａ）および図５（Ｂ）は、上記ドーマー２の横のケラバ部１１ａの組み立てを示している。上記ドーマー２の横のケラバ部１１ａとなる箇所には、上記下側固定部材４２が躯体に留め付けられる。そして、上記下側固定部材４２に上記受け部材４３が留め付けられる。次に、上記垂木部３１と上記基端側垂木連結部３２と上記先端側垂木連結部３３とが、上記ケラバ部１１ａとなる箇所において梯子状のパネル枠となるように組み立てられる。このとき、上記基端側垂木連結部３２が上記下側固定部材４２の上面に接するように設けられる。その後、上記野地板３４が上記パネル枠の上に配置されて例えば釘によって固定される。そして、上記野地板３４を介在させた状態で、上記上側固定部材４１が上記野地板３４に接するように設けられる。このようにして上記屋根下地構成体３が組み立てられた後にルーフィングや瓦等が設けられる。なお、上記ドーマー２の横のケラバ部１１ａ以外のケラバの組み立てにおいては、大きめの屋根パネルの一部をケラバとして外側に張り出させ、他の多くの部分を屋根上で支持させる構造とすることができる。
【００２３】
上記の構成であれば、上記ドーマー２の横のケラバ部１１ａとなる上記屋根下地構成体３に荷重が加わり、上記基端側が上記躯体部分の留め付け箇所から外れる方向に力が生じたとしても、上記基端側は上記躯体部分に留め付けられた上記上側固定部材４１と上記下側固定部材４２とによって上下から挟み込まれているので、上記基端側の上記外れる方向の変位は抑制される。さらに述べると、上記屋根下地構成体３に加わる下方への荷重は上記下側固定部材４２によって受け止められ、また、上記下側固定部材４２を支点にして生じる上記基端側の上方向回動の変位は、上記上側固定部材４１によって抑制されることになる。
【００２４】
また、この実施形態では、上記上側固定部材４１および上記下側固定部材４２が上記躯体部分の外側に位置する断熱材５と同一面内に設けられている。これによれば、上記断熱材５を配置できる箇所に上記上側固定部材４１および上記下側固定部材４２が設けられることになり、外壁構造の大幅な設計変更なしで上記上側固定部材４１および上記下側固定部材４２を配置することができる。
【００２５】
また、上記下側固定部材４２の外側面に留め付けられた受け部材４３によって上記基端側が下から受け止められると、上記屋根下地構成体３に作用する荷重に対する強度性能をさらに向上することができる。なお、上記受け部材４３を１個としてもよいし、２個とも省く構成としてもよい。例えば積雪が多い地域等、作用する荷重が大きい地域では、上記受け部材４３を多く設ける構造が望ましい。
【００２６】
次に他の実施形態となる屋根固定構造を説明していく。この実施形態の屋根固定構造は、図６に示すように、建物１の外壁１２の壁面から張り出す付け庇１１ｂにおいて用いられている。
【００２７】
図７に示すように、付け庇１１ｂとなる屋根下地構成体３も、上記垂木部３１と基端側垂木連結部３２と先端側垂木連結部３３（破風下地）と野地板３４とからなる。上記垂木部３１と上記基端側垂木連結部３２とは、上記コーナー金具６を用いて固定されている。そして、上記屋根下地構成体３の基端側が、上記壁面の側に位置する柱や梁１２ｂ等（躯体部分）に留め付けられるとともに、上記躯体部分に留め付けられた上側固定部材４１と下側固定部材４２とによって上下から挟み込まれている。上記付け庇１１ｂとなる上記屋根下地構成体３は外壁面から離れるほど下り傾斜する形状を有しており、上記基端側の形状も下り傾斜している。この実施形態では、上記上側固定部材４１の下面は上記下り傾斜に合せた斜めカット面を有するように形成され、当該斜めカット面の全面が極力野地板３４に接するようになっている。
【００２８】
上記屋根下地構成体３の基端側は、上記下側固定部材４２の外側面に留め付けられた受け部材４３によって下から受け止められている。この実施形態で用いる受け部材４３は、例えば厚みが４５ｍｍ程度で高さが１０５ｍｍ程度の木材からなり、その上面は上記下り傾斜に合せて斜めカットされている。上記受け部材４３は、上記下側固定部材４２に釘等によって留め付けられる。また、上記屋根下地構成体３上には、ルーフィングが敷かれ、このルーフィング上に瓦７６等が設けられる。
【００２９】
上記構成においても、上記屋根下地構成体３に荷重が加わり、上記基端側が上記躯体部分の留め付け箇所から外れる方向に力が生じたとしても、上記基端側は上記躯体部分に留め付けられた上記上側固定部材４１と上記下側固定部材４２とによって上下から挟み込まれているので、上記基端側の上記外れる方向の変位は抑制されることになる。
【００３０】
なお、以上の実施形態では、上側固定部材４１と下側固定部材４２とによって挟まれる上記屋根下地構成体３の基端側が上記野地板３４を含むものであったが、上記野地板３４が除かれた状態の基端側を上側固定部材４１と下側固定部材４２とによって挟む構造としてもよい。また、上記の実施形態では、上記垂木部３１と上記基端側垂木連結部３２と上記先端側垂木連結部３３とを用いたパネル枠化が現場で行われたが、工場でパネル枠化されたものが現場に搬送されるようにしてもよい。また、上側固定部材４１および下側固定部材４２を躯体部分の外側に位置する断熱材５と同一面内に設けることにおいて、上側固定部材４１および下側固定部材４２が必ずしも断熱材５と面一（同一厚み）に設けられることに限定されるものではなく、例えば、上記上側固定部材４１および下側固定部材４２が上記断熱材５よりも薄く形成されていてもよいし、上記上側固定部材４１および下側固定部材４２が上記断熱材５よりも厚く形成されていてもよい。換言すれば、上記上側固定部材４１および下側固定部材４２の全部または一部が上記断熱材５の延長領域内に存在する構造であってもよい。また、上記下側固定部材４２と上記受け部材４３とが一体化された構造としてもよい。この一体化された構造において、断面形状がＬ形状ではなく、四角形状等であってもよい。
【００３１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３２】
１      建物
１１    屋根本体
１１ａ  ケラバ部
１１ｂ  付け庇
１２    外壁
１２ａ  柱
１２ｂ  梁
２      ドーマー
３      屋根下地構成体
３１    垂木部
３２    基端側垂木連結部
３３    先端側垂木連結部
３４    野地板
４１    上側固定部材
４２    下側固定部材
４３    受け部材
５      断熱層
６      コーナー金具
【図１】
2015081441.tif 000003
【図２】
2015081441.tif 000004
【図３】
2015081441.tif 000005
【図４】
2015081441.tif 000006
【図５】
2015081441.tif 000007
【図６】
2015081441.tif 000008
【図７】
2015081441.tif 000009